(57)【特許請求の範囲】
【請求項１】
点灯表示可能な点灯表示部を複数有する点灯表示手段を備えた遊技機であって、
前記点灯表示手段は、
所定の視認方向に略直交するように配置され、前記視認方向側の主面に複数の発光体を有する発光体基板と、
板状のレンズ基部と、前記レンズ基部から前記視認方向に膨出した複数のカップ状のレンズ部であって、対応する前記発光体の前記視認方向を覆うレンズ部とを一体的に有し、前記複数の発光体の前記視認方向側を跨るように配置されたレンズ手段と、
各レンズ部に対応して設けられ、当該レンズ部を前記視認方向から視認するための視認窓を有し、前記レンズ手段の前記視認方向側に配置されたカバー手段と、
各レンズ部に対応して設けられ、当該レンズ部に内嵌されると共に当該レンズ部に対応する前記発光体の周囲を取り囲む筒状部を有し、対応する前記発光体から発せられた光を当該レンズ部へと導く導光手段とを含み、
前記筒状部の、前記視認方向側の端部が、前記レンズ基部の前記視認方向側の前記主面よりも前記視認方向に突出している、遊技機。
【請求項２】
前記カバー手段の、前記視認方向と反対方向側の端部が、前記筒状部の、前記視認方向側の前記端部よりも、前記反対方向に突出している、請求項１に記載の遊技機。
【請求項３】
前記遊技機は、発射された遊技球が流下する遊技領域を前面に有する遊技盤を含み、
前記点灯表示手段は、前記遊技領域に開口する始動入賞口への遊技球の入球に基づく有効保留球数を、点灯状態にある前記点灯表示部の個数で表示する、請求項１または２に記載の遊技機。
【請求項４】
前記遊技機は、
発射された遊技球が流下する遊技領域を前面に有する遊技盤と、
前記点灯表示手段は、前記遊技領域の所定領域に形成された始動領域に遊技球が入球または通過することに基づいて変動動作を行うと共にその後停止表示される図柄を、前記点灯表示部の点灯状態／消灯状態によって表す、請求項１または２に記載の遊技機。
【発明の詳細な説明】
【技術分野】
【０００１】
この発明は、点灯表示手段を備えた遊技機に関する。
【背景技術】
【０００２】
下記特許文献１には、複数のＬＥＤと、各ＬＥＤに対応して、当該ＬＥＤの前側に配置された保留レンズ部とを有する保留ランプが開示されている。保留ランプには、ＬＥＤから前方へ光を照射することでレンズを点灯状態とする構成が採用されており、点灯状態にあるレンズの数で保留数を表示するようにしている。この保留ランプでは、一枚もの（１パーツ）に複数の保留レンズ部が一体的に設けられており、これにより、複数の保留レンズ部が１つのレンズユニットとして取り扱われる。
【先行技術文献】
【特許文献】
【０００３】
【特許文献１】特開２０１３−２１２１５１号公報
【発明の概要】
【発明が解決しようとする課題】
【０００４】
しかしながら、特許文献１の構成では、発光体（ＬＥＤ）から発せられた光が、隣り合う保留レンズ部を繋ぐ基部にも与えられ、この光は、当該板状部の内部を伝って周囲のレンズ部に導かれるおそれがある。この場合、当該周囲のレンズ部に対応する発光体が非発光であるにも拘らず、レンズ部から漏れた光によって、当該周囲のレンズ部が光って見えるおそれがある。そして、レンズ部からの光の漏れ度合いによっては、当該周囲のレンズ部が点灯状態にあるのかあるいは消灯状態にあるのかを遊技者が見分けることができないおそれがある。
【０００５】
この発明は、かかる背景に基づいてなされたものであり、レンズ部からの光の漏れを抑制または防止できる遊技機を提供することを目的とする。
【課題を解決するための手段】
【０００６】
請求項１に記載の発明は、点灯表示可能な点灯表示部を複数有する点灯表示手段を備えた遊技機であって、前記点灯表示手段は、所定の視認方向に略直交するように配置され、前記視認方向側の主面に複数の発光体を有する発光体基板と、板状のレンズ基部と、前記レンズ基部から前記視認方向に膨出した複数のカップ状のレンズ部であって、対応する前記発光体の前記視認方向を覆うレンズ部とを一体的に有し、前記複数の発光体の前記視認方向側を跨るように配置されたレンズ手段と、各レンズ部に対応して設けられ、対応する前記レンズ部を前記視認方向から視認するための視認窓を有し、当該レンズの前記視認方向側に配置されたカバー手段と、各レンズ部に対応して設けられ、当該レンズ部に内嵌されると共に当該レンズ部に対応する前記発光体の周囲を取り囲む筒状部を有し、対応する前記発光体から発せられた光を当該レンズ部へと導く導光手段とを含み、前記筒状部の、前記視認方向側の端部が、前記レンズ基部の前記視認方向側の前記主面よりも前記視認方向に突出している、遊技機を提供する。
【０００７】
請求項２に記載の発明は、前記カバー手段の、前記視認方向と反対方向側の端部が、前記筒状部の、前記視認方向側の前記端部よりも、前記反対方向に突出している、請求項１に記載の遊技機である。
請求項３に記載の発明は、前記遊技機は、発射された遊技球が流下する遊技領域を前面に有する遊技盤を含み、前記点灯表示手段は、前記遊技領域に開口する始動入賞口への遊技球の入球に基づく有効保留球数を、点灯状態にある前記点灯表示部の個数で表示する、請求項１または２に記載の遊技機である。
【０００８】
請求項４に記載の発明は、前記遊技機は、発射された遊技球が流下する遊技領域を前面に有する遊技盤と、前記点灯表示手段は、前記遊技領域の所定領域に形成された始動領域に遊技球が入球または通過することに基づいて変動動作を行うと共にその後停止表示される図柄を、前記点灯表示部の点灯状態／消灯状態によって表す、請求項１または２に記載の遊技機である。
【発明の効果】
【０００９】
本発明によれば、レンズ部からの光の漏れを抑制または防止できる遊技機を提供できる。
【図面の簡単な説明】
【００１０】
【図１】本発明の一実施形態に係る遊技機が適用された弾球遊技機の斜視図である。
【図２】前記弾球遊技機に含まれる遊技盤の構成を示す正面図である。
【図３】図２に示す点灯表示手段の分解斜視図である。
【図４】前記点灯表示手段を、図３の切断面線IV−IVから見た断面図である。
【発明を実施するための形態】
【００１１】
以下では、この発明の実施の形態を、添付図面を参照して詳細に説明する。
図１は、本発明の一実施形態に係る遊技機が適用された弾球遊技機（パチンコ機）１の斜視図である。弾球遊技機１は、上下に長手の略直方体である。弾球遊技機１は、遊技店内に配列された遊技島への取付け（設置）のための略四角枠状の外枠２と、この外枠２に対し片開き可能に取り付けられた前枠３とを含む。外枠２の左右一方、たとえば左側のヒンジ４によって、前枠３はヒンジ４の回動軸まわりに回動可能に保持されている。
【００１２】
前枠３の上部分には、遊技盤５（図２参照）が収容保持されている。前枠３の下部分には、発射装置（図示しない）が収容保持されている。前枠３の手前側には、前扉６が開閉可能に設けられている。また、前枠３の手前側には、前扉６の下方に、下部開閉板７が開閉可能に設けられている。前扉６には、遊技盤５に対向する位置に略円形の開口部８が形成されている。この開口部８には、ガラス板などの透明板９が嵌められていて、前扉６を閉じた状態で、その透明板９を介して、透明板９の奥側の遊技盤５を視認することができるようになっている。前扉６の上部には、左右一対のスピーカ１０が配置されている。また、前扉６の下部には、左右一対のランプユニット１１が配置されている。
【００１３】
下部開閉板７には、遊技に使用する遊技球（パチンコ球）を貯留しておくための上皿１２と、上皿１２からオーバーフロー路（図示しない）を通して溢れた遊技球を受け止める下皿１３とが上下に並んで設けられている。また、下皿１３の右側には、遊技球を遊技盤５に打ち出す際に操作されるハンドル１４が配置されている。遊技者が、ハンドル１４を把持して回転操作することにより、発射装置から遊技盤５に向けて遊技球を発射することができ、また、ハンドル１４の回転角度を調整することにより、遊技盤５の前面に向けて発射される遊技球の勢いを調節することができる。
【００１４】
図２は、弾球遊技機１に含まれる遊技盤５の構成を示す正面図である。
遊技盤５の盤面には、中央部に略円形の遊技領域Ｓが設定されている。遊技領域Ｓの周縁には、発射装置から発射された遊技球を、遊技盤５の上部（左側上部）に導くための略円弧状のガイドレール１５と、このガイドレール１５に対向して延びる内レール１６とが配設されている。内レール１６の先端は遊技領域Ｓの上部まで延びていて、発射装置により発射された遊技球は、ガイドレール１５と内レール１６との間を通って遊技領域Ｓの上部へと導かれる。遊技領域Ｓには、多数本の障害釘１７が植設されている。
【００１５】
遊技盤５の中央部には、演出装置の一例としての液晶表示ユニット１８を含むセンターユニット１９が配設されている。液晶表示ユニット１８は、弾球遊技機１の遊技中に、変動中または変動停止状態にある演出図柄や所定のメッセージなどを表示するためのものである。
遊技領域Ｓにおける、センターユニット１９の左方の領域、すなわち遊技領域Ｓの左領域には、第１の普通図柄ゲート（始動領域）２０および風車役物２１が上側からこの順に配置されている。第１の普通図柄ゲート２０を遊技球が通過すると、第２の始動入賞口２７を開状態とするか否か（一対の可動羽根２８を拡開姿勢にするか否か）を決定するための普通図柄抽選が実行される。風車役物２１は、前後方向に延びる回転軸まわりに回転自在に設けられている。
【００１６】
また、遊技領域Ｓの左下部には、内レール１６に沿って配置される円弧状のサイドランプユニット２２を構成している。サイドランプユニット２２は、左右方向に並ぶ第１の普通入賞口２３、第２の普通入賞口２４および第３の普通入賞口２５をユニット化した、３連普通入賞口を有するサイドランプユニットである。各普通入賞口２３〜２５に遊技球が１球入賞すると、予め定める個数（たとえば３球）の賞球が、賞球払出装置から払い出される。
【００１７】
遊技領域Ｓの下部には、第１の始動入賞口（始動領域）２６および第２の始動入賞口（始動領域）２７が上下に並置されている。第１および第２の始動入賞口２６，２７は、それぞれ、遊技盤５の盤面に沿って流下する遊技球が入球可能に設けられている。第１の始動入賞口２６は、開閉手段等を有しない非作動式の入賞口であり、上方に向けて開口している。これに対し、第２の始動入賞口２７は、一対の可動羽根２８を含む開閉式の電動チューリップ役物２９によって開閉される可変式の入賞口であり、上方に向けて開口している。
【００１８】
電動チューリップ役物２９は、通常、各可動羽根２８の先端部が互いに接近する状態に窄められた姿勢（以下「狭窄姿勢」という。）に窄められている。一対の可動羽根２８が狭窄姿勢であると、遊技球の第２の始動入賞口２７への入球が、第１の始動入賞口２６の入球役物３０により阻止され、第２の始動入賞口２７が閉塞される。各可動羽根２８が狭窄姿勢から拡開して、図１に示すような、一対の可動羽根２８が互いに離間するように拡開された姿勢（以下「拡開姿勢」という。）になると、第１の始動入賞口２６の入球役物３０の左右両側に、第２の始動入賞口２７に向かう通路が形成され、この通路を通って第２の始動入賞口２７に遊技球が入球可能になる。したがって、一対の可動羽根２８が狭窄姿勢にあれば第２の始動入賞口２７への遊技球の入球はないが、一対の可動羽根２８が拡開姿勢にあると、比較的高い確率で遊技球が第２の始動入賞口２７に入球する。第１および第２の始動入賞口２６，２７ならびに電動チューリップ役物２９はユニット化されて、１つの始動入賞口ユニット３１を構成している。
【００１９】
第１または第２の始動入賞口２６，２７に遊技球が入ると、予め定める個数（第１の始動入賞口２６への遊技球入球に対してはたとえば５球、または第２の始動入賞口２７への遊技球入球に対してはたとえば３球）の賞球が、賞球払出装置（図示しない）から払い出される。また、第１または第２の始動入賞口２６，２７への遊技球の入球に伴って、特別利益状態を実行するか否かを決定するための大当り抽選が実行される。
【００２０】
遊技領域Ｓにおける、センターユニット１９の右方の領域、すなわち遊技領域Ｓの右領域には、第２の普通図柄ゲート（始動領域）３２が配置されている。第２の普通図柄ゲート３２を遊技球が通過すると、第２の始動入賞口２７を開状態とするか否か（一対の可動羽根２８を拡開姿勢にするか否か）を決定するための普通図柄抽選が実行される。
遊技領域Ｓの右下部（より具体的には、左右方向に関し第２の普通図柄ゲート３２と始動入賞口２６，２７との略中間位置）には、左右に長い平面視長方形状をなす可変入賞口３３が配設されている。可変入賞口３３は、左右方向に関して、複数個（たとえば３〜４個）の遊技球が同時に入球可能なサイズに形成されている。
【００２１】
可変入賞口３３に関連して、可変入賞口３３を開閉可能な可変入賞役物３４が設けられている。可変入賞役物３４は、遊技盤５の盤面に沿った状態で可変入賞口３３を閉塞して、可変入賞口３３に遊技球が入るのを阻止することができる一方、この状態から可変入賞口３３の下端縁に沿って配置された揺動軸（図示しない）を中心に手前側に傾倒することにより、可変入賞口３３を開放して、可変入賞口３３に流下してくる遊技球を可変入賞口３３内に導き入れることができる。可変入賞口３３に遊技球が入球すると、予め定める個数（たとえば、可変入賞口３３への遊技球１球入球に対して１０球）の賞球が、賞球払出装置から払い出される。可変入賞口３３は、遊技盤５の盤面の右下端部に配置された右下ユニット３５に設けられている。
【００２２】
遊技盤５の盤面におけるガイドレール１５の外側領域の左下部には、第１特別図柄表示手段３６、第２特別図柄表示手段３７および普通図柄表示手段３８が配置されている。
第１特別図柄表示手段３６は、第１の始動入賞口２６に遊技球が入球することを条件に、第１特別図柄を所定時間変動表示して、第１の始動入賞口２６への遊技球の入球時に取得された大当り判定乱数値が予め定められた大当り判定値と一致する場合には所定の大当り態様で、それ以外の場合には外れ態様で停止する。
【００２３】
第２特別図柄表示手段３７は、第２の始動入賞口２７に遊技球が入球することを条件に、第２特別図柄を所定時間変動表示して、第２の始動入賞口２７への遊技球の入球時に取得された大当り判定乱数値が予め定められた大当り判定値と一致する場合には所定の大当り態様で、それ以外の場合には外れ態様で停止する。
普通図柄表示手段３８は、第１または第２の普通図柄ゲート２０，３２に遊技球が通過することを条件に普通図柄を所定時間変動表示して、第１または第２の普通図柄ゲート２０，３２に対する遊技球の通過時に取得された当り判定乱数値が予め定められた当り判定値と一致する場合には所定の当り態様で、一致しない場合には所定の外れ態様で停止させるようになっている。
【００２４】
遊技者のハンドル１４（図１参照）の操作により、発射装置（図示しない）から適度の勢いで発射された遊技球は、遊技領域Ｓの左上部分から右斜め上方に向けて（ガイドレール１５および内レール１６に沿って）放たれる。遊技領域Ｓの左上部分から放たれた遊技球は、遊技領域Ｓの左部分（含：左領域、左下領域）に植設された障害釘１７の間を流下する。また、遊技球のうち幾つかの遊技球は、前後に延びる所定の回転軸まわりに回転自在に設けられている風車役物２１に衝突し、当該風車役物２１の回転により、その衝突した遊技球が風車役物２１の左側または右側に振り分けられながら、障害釘１７の間を流下する。遊技領域Ｓの左部分（左領域および左下領域）を流下する遊技球は、第１の普通図柄ゲート２０を通過可能であり、または、第１〜第３の普通入賞口２３，２４，２５、第１もしくは第２の始動入賞口２６，２７に入球可能である。
【００２５】
また、この弾球遊技機１では、いわゆる右打ち（遊技領域Ｓの右部分（含：右領域、
右下領域）に向けて遊技球を発射させる遊技）を行うことができるようになっている。具体的には、ハンドル１４（図１参照）の回転角度を極めて大きくすると、非常に強い勢いで遊技球が発射される。そして、遊技領域Ｓの左上部分から右斜め上方に向けて（ガイドレール１５および内レール１６に沿って）、遊技球が勢い良く放たれる。遊技領域Ｓの左上部分から放たれた遊技球は、遊技領域Ｓの上部で、ガイドレール１５とセンターユニット１９の周縁とによって区画される上通路３９を通って、遊技領域Ｓの右部分へと達し、その右部分において下方に向けて放たれ、障害釘１７の間を流下する。遊技領域Ｓの右部分（含：右領域、右下領域）を流下する遊技球は、第２の普通図柄ゲート３２を通過可能であり、または可変入賞口３３、第１もしくは第２の始動入賞口２６，２７に入球可能である。
【００２６】
遊技領域Ｓを流下する遊技球のうち、第１ないし第２の始動入賞口２６，２７、可変入賞口３３、または第１〜第３の普通入賞口２３，２４，２５のいずれにも入球しなかった遊技球（アウト球）は、遊技領域Ｓの下部に形成されたアウト口４０から機内に入り、球回収部（図示しない）に回収される。
センターユニット１９は、液晶表示ユニット１８と、開口４１を有し、液晶表示ユニット１８の外側を取り囲む装飾枠４２と、装飾枠４２に取り付けられて、装飾枠４２の開口４１におけるステージ４６の後ろ側の領域（すなわち開口４１の一部分）を覆う進入防止部材４３とを含む。
【００２７】
装飾枠４２は、遊技盤５の盤面において、遊技領域Ｓと開口４１の後方に設定される演出領域（図示しない）とを前後に仕切るためのものである。装飾枠４２は、略円形のフレーム枠（図示しない）と、フレーム枠の下辺部の前面に配置されて、上面を遊技球が転動するステージ４６と、フレーム枠の左辺部の前面に配置されて、遊技領域Ｓ（装飾枠４２の外側）を流下する遊技球を取り込んでステージ４６に案内するワープ通路（図示しない）が内部に形成されたワープ通路役物４７と、フレーム枠の前面ならびにステージ４６およびワープ通路役物４７の前面を覆う多数の飾り４８とを含む。フレーム枠の前面には、飾り４８の他に、蝶の腹部を象った正面形状を有する点灯表示手段４９が配置されている。点灯表示手段４９は、正面視で、ステージ４６の右隣に配置されている。点灯表示手段４９は、その表示面が前方に向く鉛直姿勢で配置されている。
【００２８】
点灯表示手段４９は、個別に点灯／消灯可能な点灯表示部５０を４つ有する第１の保留球数表示領域５１と、点灯表示部５０を４つ有する第２の保留球数表示領域５２と、点灯表示部５０を３つ有する演出表示領域５３とを含む。
第１の保留球数表示領域５１は、点灯表示される点灯表示部５０の個数によって、第１特別図柄の変動動作の有効保留数（すなわち、保留用として記憶されている第１特別図柄用の始動記憶の数）を表示するものである。第１の保留球数表示領域５１では、４つの点灯表示部５０が、正面視で、右方に向かうに従って上方に向かうような傾斜直線状に並んでいる。４つの点灯表示部５０のうち左下側から右上側の順に、消化の早い順に並べられる。第１の始動入賞口２６への遊技球の入賞毎に、点灯状態の点灯表示部５０が左下側から順に１つずつ増え、第１特別図柄の変動動作の開始に伴って、点灯状態の点灯表示部５０が右上側から順に１つずつ減少する（消灯状態の点灯表示部５０が増える）。
【００２９】
第２の保留球数表示領域５２は、点灯表示される点灯表示部５０の個数によって、第２特別図柄の変動動作の有効保留球数（すなわち、保留用として記憶されている第２特別図柄用の始動記憶の数）を表示するものである。第２の保留球数表示領域５２では、４つの点灯表示部５０が、正面視で、右方に向かうに従って上方に向かうような傾斜直線状に並んでいる。４つの点灯表示部５０のうち左下側から右上側の順に、消化の早い順に並べられる。第２の始動入賞口２７への遊技球の入賞毎に、点灯状態の点灯表示部５０が左下側から順に１つずつ増え、第２特別図柄の変動動作の開始に伴って、点灯状態の点灯表示部５０が右上側から順に１つずつ減少する（消灯状態の点灯表示部５０が増える）。第２の保留球数表示領域５２の各点灯表示部５０は、第１の保留球数表示領域５１の各点灯表示部５０よりもやや小径に設けられている。
【００３０】
図３は、図２に示す点灯表示手段４９の分解斜視図である。図４は、点灯表示手段４９を、図３の切断面線IV−IVから見た断面図である。
図３に示すように、点灯表示手段４９は、複数（点灯表示部５０の数と同数）のＬＥＤ（発光体）５４と、複数のＬＥＤ５４が前面（視認方向側の主面）５５Ａに実装されたＬＥＤ基板（発光体基板）５５と、複数のＬＥＤ５４の前方側（視認方向側）に跨って配置された１パーツのレンズ（レンズ手段）５６と、レンズ５６とＬＥＤ基板５５との間に介装された導光部材（導光手段）５７と、レンズ５６の前方側において、レンズ５６を覆うように配置されたカバー（カバー手段）５８とを含む。図３において、レンズ５６、導光部材５７およびカバー５８は、図示の関係上それぞれ一部分のみ図示している。図３において、レンズ５６は、最も右上の第１のＬＥＤ５４Ａ（図２参照）に対応するレンズ部６０、および左下側から数えて２番目の第２のＬＥＤ５４Ｂ（図２参照）に対応するレンズ部６０を含む部分のみを示すが、ＬＥＤ基板５５に配置された全てのＬＥＤ５４を覆うだけの面積を有している。また図３において、導光部材５７は、最も右上の第１のＬＥＤ５４Ａ（図２参照）に対応する筒状部６３、および左下側から数えて２番目の第２のＬＥＤ５４Ｂ（図２参照）に対応する筒状部６３を含む部分のみを示すが、ＬＥＤ基板５５に配置された全てのＬＥＤ５４を覆うだけの面積を有している。また図３において、カバー５８は、最も右上の第１のＬＥＤ５４Ａ（図２参照）に対応する収容枠６６、および左下側から数えて２番目の第２のＬＥＤ５４Ｂ（図２参照）に対応する収容枠６６を含む部分のみを示すが、カバー５８は、点灯表示手段４９の前面（図１参照）を構成する部材であり、そのため、点灯表示手段４９の平面視形状に整合する形状を有している。また、カバー５８に対し後方側（視認方向と反対方向側）に配置されるレンズ５６や導光部材５７の全域をそれぞれ覆うだけの面積を有している。
【００３１】
前述のように、点灯表示手段４９は、その表示面が前方に向く鉛直姿勢で配置されているので、図３に示すように、ＬＥＤ基板５５は、実装面である前面５５Ａを前方に向けた鉛直姿勢で配置されている。ＬＥＤ基板５５の前面５５Ａには、複数（図３では、たとえば１１個）のＬＥＤ５４が実装されている。この実施形態では、複数のＬＥＤ５４は、第１の保留球数表示領域５１の点灯表示部５０の表示用の４つの第１のＬＥＤ５４Ａと、第２の保留球数表示領域５２の点灯表示部５０の表示用の４つの第２のＬＥＤ５４Ｂと、演出表示領域５３の点灯表示部５０の表示用の３つの第３のＬＥＤ５４Ｃとを含む。ＬＥＤ基板５５には弾球遊技機１の演出制御を司る演出基板（図示しない）が接続されていおり、演出制御基板によってＬＥＤ基板５５に実行されているＬＥＤ５４が発光制御されている。第１〜第３のＬＥＤ５４は、たとえば、互いに同一の規格のものが採用されている。なお、発光体として、ＬＥＤ５４以外のものを採用してもよい。
【００３２】
レンズ５６は、板状のレンズ基部５９と、レンズ基部５９の前面（視認方向側の主面）５９Ａから前方に向けて膨出したカップ状の複数（点灯表示部５０の数と同数）のレンズ部６０とを一体に有し、透光性を有する樹脂材料（たとえば、ポリカーボネートやＡＢＳ樹脂、アクリル樹脂）を用いて形成されている。レンズ基部５９は、ＬＥＤ基板５５と平行に配置されている。複数のレンズ部６０は、互いに、レンズ基部５９に沿う方向に間隔を隔てて配置されている。レンズ部６０の後端面（後端部）は、周方向全域でレンズ基部５９に接続している。レンズ部６０は、ＬＥＤ５４と１対１対応で設けられている。各レンズ部６０は、対応するＬＥＤ５４の前方を覆っている。たとえば、レンズ部６０は、ＬＥＤ５４からの光を散乱させながら、前方へと導く。
【００３３】
導光部材５７は、ＬＥＤ基板５５とレンズ５６との間に挟まれる導光板６１を含む。図４に示すように、導光板６１は、その前面６１Ａがレンズ５６のレンズ基部５９の後面５９Ｂに接していると共に、当該後面５９Ｂが、ＬＥＤ基板５５の前面５５Ａに所定の微小間隔を隔てて配置されている。導光板６１には、ＬＥＤ５４を前方側に露出させるための露出穴６２が形成されている。露出穴６２は、たとえば円形をなし、点灯表示部５０の数と同数設けられている。また、導光部材５７は、各露出穴６２の周縁から前方に向けて突出するたとえば円筒状の筒状部６３を含む。筒状部６３は、点灯表示部５０の数と同数設けられており、ＬＥＤ５４およびレンズ５６と１対１対応で設けられている。複数の筒状部６３は、導光板６１と一体的に形成されている。導光板６１および筒状部６３を含む導光部材５７は、不透光性を有する樹脂材料（たとえば、ポリカーボネートやＡＢＳ樹脂）を用いて形成されいる。各筒状部６３は、対応するレンズ部６０に内嵌されると共に、対応するＬＥＤ５４の周囲を取り囲む。そして、対応するＬＥＤ５４からの光を筒状部６３の内周面で反射させて、当該光を、対応するレンズ部６０へと導く。筒状部６３の高さ（突出量）は、筒状部６３の前端面（筒状部の、視認方向側の端部）６３Ａが、前後方向に関し、レンズ基部５９の前面５９Ａよりも前方に突出するように設定されている。
【００３４】
カバー５８は、前面６４Ａに装飾（図示しない）が施された前面板６４を含む。前面板６４は、不透光性を有する樹脂材料（たとえば、ポリカーボネートやＡＢＳ樹脂）を用いて形成されている。前面板６４には、ＬＥＤ５４からレンズ部６０を介した光を透過させるための透光窓６５が設けられている。透光窓６５は、点灯表示部５０の数と同数設けられており、ＬＥＤ５４およびレンズ部６０と１対１対応で設けられている。この実施形態では、透光窓６５は、前面板６４を前後に貫通する貫通穴によって形成されている。各透光窓６５の周縁からは、円筒状の収容枠６６が後方に向けて突出している。各収容枠６６の後方に、対応するＬＥＤ５４が配置される。各収容枠６６の後端面（カバーの、視認方向と反対方向側の端部）６６Ａは、レンズ５６のレンズ基部５９の前面５９Ａに当接している。換言すると、カバー５８の各収容枠６６の後端面６６Ａが、前後方向に関し、筒状部６３の前端面６３Ａよりも後方に突出している。
【００３５】
各ＬＥＤ５４の発光状態では、ＬＥＤ５４から発せられた光がレンズ部６０および透光窓６５を介して前方側へと放出されることにより、遊技者は、レンズ部６０の点灯状態を視認できる。この状態は、対応する点灯表示部５０の点灯状態である。また、各ＬＥＤ５４の非発光状態では、遊技者は、レンズ部６０の消灯状態を視認できる。この状態は、対応する点灯表示部５０の消灯状態である。
【００３６】
ＬＥＤ５４は、比較的強い指向性を有するものの、一般的に、１２０°程度の指向角を有しているとされる。そのため、ＬＥＤ５４からは、光源の中心軸方向（この実施形態では前方）だけでなく、側方（この実施形態では、前方に対し鋭角傾斜する方向）にも光が発せられる。
以下、便宜上、図４の左側の点灯表示部５０のＬＥＤ５４、筒状部６３およびレンズ部６０を、それぞれ左ＬＥＤ１５４、左筒状部１６３および左レンズ部１６０といい、右側の点灯表示部５０のＬＥＤ５４、筒状部６３およびレンズ部６０を、それぞれ右ＬＥＤ２５４、右筒状部２６３および右レンズ部２６０といい、図４の２つの点灯表示部５０について、左側の点灯表示部５０に着目して検討する。
【００３７】
左筒状部１６３を設けない場合を仮に想定すると、左ＬＥＤ１５４の発光状態では、左ＬＥＤ１５４から発せられた光が左レンズ部１６０だけでなくレンズ基部５９にも与えられる。そして、左ＬＥＤ１５４からの光が、透光性を有するレンズ基部５９の内部を伝って右レンズ部２６０に導かれるおそれがある。この場合、右ＬＥＤ２５４が非発光であるにも拘らず、左レンズ部１６０から漏れた光によって、右レンズ部２６０が弱く光って見える。左レンズ部１６０からの光漏れ度合いによっては、右レンズ部２６０が点灯状態にあるのかあるいは消灯状態にあるのかを、遊技者が見分けることができない。
【００３８】
これに対し、本実施形態では、ＬＥＤ５４の周囲を、導光部材５７の筒状部６３によって取り囲む。しかも、筒状部６３がカップ状のレンズ部６０に内嵌されている。さらには、筒状部６３の前端面６３Ａが、レンズ基部５９の前面５９Ａよりも前方に突出しているので、ＬＥＤ５４から発せられた光がレンズ基部５９に入射し難い。そのため、ＬＥＤ５４の発光状態において、対応するレンズ部６０からの光漏れを抑制できる。
【００３９】
前記の例では、左ＬＥＤ１５４の発光状態において、左レンズ部１６０からの光漏れが抑制される。これにより、右レンズ部２６０の発光を抑制できる。したがって、右ＬＥＤ２５４が非発光状態である場合には右レンズ部２６０が暗い状態のまま保たれるために、右側の点灯表示部５０を点灯状態と誤認するおそれはない。ゆえに、レンズ部６０からの光漏れを抑制または防止しながら、レンズ部６０の点灯（点灯表示部５０の点灯）等により演出の向上を図ることができる。
【００４０】
とくにこの実施形態に係る点灯表示手段４９では、点灯状態にある点灯表示部５０の個数、すなわち点灯状態にあるレンズ部６０の個数で保留球の有効保留数を表している。遊技者にとって重要な情報である有効保留数を表示する保留数表示手段として点灯表示手段４９を用いるので、レンズ部６０からの光漏れを抑制または防止できる結果、保留球の有効保留数を遊技者が誤って認識することを確実に防止できる。
【００４１】
また、筒状部６３を対応するレンズ部６０に内嵌させなくても、レンズ部６０を各筒状部６３の前端面６３Ａよりも前方に配置する構成を採用すれば、レンズ部６０からの光漏れを抑制できることが考えられる。しかしながら、この場合、ＬＥＤ５４とレンズ部６０との間の間隔が広くなり過ぎてしまい、その結果、レンズ部６０を透過する光の量が弱くなるおそれがある。
【００４２】
これに対し、この実施形態では、筒状部６３を対応するレンズ部６０に内嵌させるために、ＬＥＤ５４とレンズ部６０との間の間隔が狭くすることができる。これにより、レンズ部６０発せられる光量を強く確保することができる。したがって、レンズ部６０から発せられる光量を強く確保しながら、レンズ部６０からの光漏れを抑制または防止を図ることができる。
【００４３】
また、不透光性を有するカバー５８の各収容枠６６の後端面６６Ａが、前後方向に関し、筒状部６３の前端面６３Ａよりも後方に突出しているので、筒状部６３の前端から発せられた光は、収容枠６６が邪魔になって、レンズ基部５９に入射できない。これにより、レンズ部６０の点灯状態において、当該レンズ部６０からの光漏れをより一層防止できる。
【００４４】
以上、この発明の一実施形態について説明したが、本発明は他の形態で実施することもできる。
たとえば、点灯表示手段４９に含まれる複数の点灯表示部５０によって、第１特別図柄の変動動作の有効保留球数の表示、第２特別図柄の変動動作の有効保留球数の表示および演出表示の３種類の表示を行うものとして説明したが、これら全ての表示を行わずに、これらの少なくとも１種類の表示を行うものであればよい。
【００４５】
また、前述の実施形態では、点灯表示手段４９を、点灯状態にある点灯表示部５０の個数で保留球の有効保留数を表すものとして説明したが、点灯表示手段４９の少なくとも一部の領域を、特別図柄表示手段または普通図柄表示表示手段として用いることもできる。
点灯表示手段４９の少なくとも一部の領域を、特別図柄表示手段として用いる場合、第１または第２の始動入賞口２６，２７に遊技球が入賞することに基づいて、ＬＥＤ５４の点灯状態／消灯状態によって特別図柄の変動動作を行うとともに、ＬＥＤ５４の点灯状態／消灯状態によって、その後に停止表示される特別図柄の種別を表す。たとえば、２つのＬＥＤ５４によって特別図柄表示手段を構成する場合、点灯状態にあるＬＥＤを２つのＬＥＤ５４の間で交互に高速で切り換えることにより特別図柄の変動動作を表す。そして、図柄の変動動作の後、大当り抽選の結果が大当りである場合には、２つのＬＥＤ５４のうち一方のＬＥＤ５４を点灯させ、大当り抽選の結果が外れである場合には、２つのＬＥＤ５４のうち他方のＬＥＤ５４を点灯させる。また、たとえば、１つのＬＥＤ５４によって特別図柄表示手段を構成する場合、ＬＥＤ５４を、点灯状態と消灯状態との間を高速で切り換えることにより特別図柄の変動動作を表す。そして、図柄の変動動作の後、大当り抽選の結果が大当りである場合には、ＬＥＤ５４をたとえば点灯状態とさせ、大当り抽選の結果が外れである場合には、ＬＥＤ５４をたとえば消灯状態とさせる。なお、特別図柄表示手段として点灯表示手段４９を用いる場合、特別図柄表示手段３６，３７を廃止してもよい。
【００４６】
点灯表示手段４９の少なくとも一部の領域を、普通図柄表示手段として用いる場合、第１または第２の普通図柄ゲート２０，３２を遊技球が通過することに基づいて、ＬＥＤ５４の点灯状態／消灯状態によって普通図柄の変動動作を行うとともに、ＬＥＤ５４の点灯状態／消灯状態によって、その後に停止表示される普通図柄の種別を表す。たとえば、２つのＬＥＤ５４によって普通図柄表示手段を構成する場合、点灯状態にあるＬＥＤを２つのＬＥＤ５４の間で交互に高速で切り換えることにより普通図柄の変動動作を表す。そして、図柄の変動動作の後、普通図柄抽選の結果が当りである場合には、２つのＬＥＤ５４のうち一方のＬＥＤ５４を点灯させ、普通図柄抽選の結果が外れである場合には、２つのＬＥＤ５４のうち他方のＬＥＤ５４を点灯させる。また、たとえば、１つのＬＥＤ５４によって普通図柄表示手段を構成する場合、ＬＥＤ５４を、点灯状態と消灯状態との間を高速で切り換えることにより普通図柄の変動動作を表す。そして、図柄の変動動作の後、普通図柄の結果が当りである場合には、ＬＥＤ５４をたとえば点灯状態とさせ、普通図柄抽選の結果が外れである場合には、ＬＥＤ５４をたとえば消灯状態とさせる。なお、普通図柄表示手段として点灯表示手段４９を用いる場合、普通図柄表示手段３８を廃止してもよい。
【００４７】
この場合、特別図柄表示手段および／または普通図柄表示手段として点灯表示手段４９を用いるので、レンズ部６０からの光漏れを抑制または防止できる結果、停止表示されている特別図柄および／または停止表示されている普通図柄の種別を遊技者が誤って認識することを確実に防止できる。
また、３つの表示領域５１，５２，５３用のＬＥＤ５４の全て（たとえば１１つ）の前方を１パーツのレンズ５６で覆うものと説明したが、複数パーツのレンズでＬＥＤ５４の前方を覆うようにしてもよい。この場合、複数のパーツのうちの少なくとも１つのレンズパーツが、複数のＬＥＤ５４の前方を跨って覆っていればよい。
【００４８】
また、前述の説明において、ＬＥＤ５４がレンズ部６０と１対１対応で設けられているとして説明したが、複数のＬＥＤ５４が１つのレンズ部６０に対応付けられていてもよい。
また、各収容枠６６の後端面６６Ａがレンズ基部５９の前面５９Ａに当接しているとして説明したが、各収容枠６６の後端面６６Ａがレンズ基部５９の前面５９Ａに対し前方に所定間隔を隔てて設けられていてもよい。この場合、各収容枠６６の後端面６６Ａが、筒状部６３の前端面６３Ａよりも後方に突出していることが望ましいが、筒状部６３の前端面６３Ａと前後方向に同等か、あるいは前端面６３Ａよりも前方に退避していることが望ましい。
【００４９】
また、透光窓６５が、前面板６４を前後に貫通する貫通穴によって形成されているとして説明したが、透光部材によって透光窓を構成してもよい。
また、前述の実施形態では、ＬＥＤ基板５５が、その前面５５Ａが前方に向く鉛直姿勢で配置されているとして説明したが、ＬＥＤ基板５５の姿勢は、上下方向に傾斜していても、あるいは左右方向に傾斜していてもよい。この場合、視認方向は、前方ではなく、前方に対して所定の鋭角傾斜する方向である。
【００５０】
また、発光体としてＬＥＤを採用したが、ＬＥＤ以外の光源（たとえば白熱電球や放電電球）を用いてもよい。
また、始動入賞口として、第１および第２の始動入賞口２６，２７の２つを設ける構成を例に挙げて説明したが、この構成に限られず、１つの始動入賞口のみを設けるようにしてもよい。
【００５１】
また、普通図柄ゲートとして、第１および第２の普通図柄ゲート２０，３２の２つを設ける構成を例に挙げて説明したが、この構成に限られず、１つの普通図柄ゲートのみを設けるようにしてもよい。
また、前述の説明では、遊技機として弾球遊技機１を例に挙げて説明したが、この発明は弾球遊技機に限られず、スロットマシンに代表される回胴式遊技機などの他の遊技機にも適用できる。
【００５２】
その他、特許請求の範囲に記載された事項の範囲で種々の設計変更を施すことが可能である。
【符号の説明】
【００５３】
１    弾球遊技機（遊技機）
２０    第１の普通図柄ゲート
２６    第１の始動入賞口（始動領域）
２７    第２の始動入賞口（始動領域）
３２    第２の普通図柄ゲート
４９    点灯表示手段
５０    点灯表示部
５５    ＬＥＤ基板（発光体基板）
５５Ａ  前面（視認方向側の主面）
５６    レンズ
５７    導光部材
５８    カバー
５９    レンズ基部
６０    レンズ部
６３    筒状部
６３Ａ  前端面（筒状部の、視認方向側の端部）
６６Ａ  後端面（カバーの、視認方向と反対方向側の端部）
【要約】      （修正有）【課題】レンズ部からの光の漏れを抑制または防止できる遊技機を提供する。【解決手段】点灯表示手段４９は、前面５５Ａに複数のＬＥＤ５４を有するＬＥＤ基板５５と、板状のレンズ基部５９と複数のカップ状のレンズ部６０とを有し、複数のＬＥＤ５４の前方を跨るように配置されたレンズ５６と、レンズ５６の前方に配置されたカバー５８と、ＬＥＤ基板５５とレンズ５６との間に配置される導光部材５７とを含む。導光部材５７は、各レンズ部６０に１対１対応で設けられた筒状部６３を有している。各筒状部６３は、対応するレンズ部６０に内嵌されると共に当該レンズ部６０に対応するＬＥＤ５４の周囲を取り囲む。各筒状部６３の前端面６３Ａが、前後方向に関し、レンズ基部５９の前面５９Ａよりも前方に突出している。【選択図】図４【図１】
0005932112.tif 000002
【図２】
0005932112.tif 000003
【図３】
0005932112.tif 000004
【図４】
0005932112.tif 000005